(57)【要約】【課題】従来の釣り竿の持ち方は、例えば竿を水平に保つ時に腕を伸ばした状態で手首を少し下側に向けて支えて来た。釣り方にもよるがこませ籠を使っったり、重い錘りを使うような釣りでは水中から引き上げる時に、水の抵抗も加わり手首に掛かる負担は相当なものである。それは竿先に掛かる荷重を不自然な形でねじった手首で支えるからである。そこで長時間の釣りにも手首へ掛かる負担を軽減でき、且つ安定して支える事の出来る保持具と一体型の釣り竿を提供する。【解決手段】手首をねじる事無く、自然な形で握る事が出来るグリップ及び肘当てが一体で構成される保持具を竿の延長線上に設けるようにした。【選択図】図３
2006158362.tif 000002
【特許請求の範囲】
【請求項１】
釣り竿６を水平にした時に、竿の上面に対して垂直から竿先方向７０°迄の範囲に傾斜をさせたグリップ２と肘当て３が一体で構成される保持具を備えた釣り竿。
【請求項２】
釣り竿６を水平にした時に、竿の下面に対して垂直から竿尻方向７０°迄の範囲に傾斜をさせたグリップ２と肘当て３が一体で構成される保持具を備えた釣り竿。
【請求項３】
グリップ２と肘当て３が一体で構成される保持具は対象魚により、釣り竿６を容易に交換出来る構造とする。
【発明の詳細な説明】
【技術分野】
【０００１】本発明は、主に海上に於ける船、ボート釣りに使用する釣り竿に関するものである。
【背景技術】
【０００２】古来より釣り竿の握り方は基本的に釣り竿を水平にする場合、釣り竿の角度にあわせて手首を下方にねじって支えて来た。近年の技術開発により釣り竿やリールも軽い素材が使われるようになり、釣り人の腕や手首に掛かる負担が随分軽減されるようになって来た。けれども例えば、こませ籠を付けた釣りにおいて海中での上げ下げは水の抵抗も加わり結構重労働であり、長時間くり返しやってると手首が痛くなるのが現状である。それは竿先に掛かる全荷重を不自然にねじった手首で支える為である。
【発明の開示】
【発明が解決しようとする課題】
【０００３】本発明は、上記する海釣りにおける欠点を解決する為に、手首に負担の掛からない角度で傾斜させたグリップ２及び肘当て３で構成される２点でしっかりと釣り竿を保持出来る事を目的とするものである。
【課題を解決する為の手段】
【０００４】上記する目的を達成する為に本発明釣り竿は、保持具基部１の中心線上に垂直から竿先方向７０°の範囲に傾斜させたグリップ２を設け、なおかつ保持具基部１の後方に連結パイプ４を介して肘当て３をビスで固定するようにしたものである。
【０００５】更に、上記とは逆に、保持具基部１の中心線下に垂直から竿尻方向７０°の範囲に傾斜させたグリップ２を設け、且つ保持具基部１の後方に連結パイプ４を介して肘当て３をビスで固定するようにしたものである。
【発明の効果】
【０００６】上記の形状にする事により、手首をねじる事無く釣り竿を握れるので、長時間の釣りにも手首に負担が掛からず、更に肘を固定する事により、グリップと肘当ての２点で釣り竿を支えられる為、強い魚の引きにも充分対処出来るものである。
【発明を実施するための最良の形態】
【実施例１】
【０００７】以下、図面に従って本発明の実施の形態を詳細に説明する。図１は本発明グリップと肘当てが一体で構成される保持具を備えた釣り竿の請求項１記載の実施形態を示すものである。腕を真直ぐに伸ばした状態で手首をねじる事無く、自然に釣り竿を掴む為の手段として、保持具基部１の上面に垂直から竿先７０°の範囲にグリップ２を設ける。さらに、しっかりと釣り竿を固定させる為に、保持具基部１の後方に２本の連結パイプ４を介して肘当て３をビス８で固定する。図はリールを竿下に取り付けるタイプを示している。
【実施例２】
【０００８】図２は、本発明グリップと肘当てが一体で構成される保持具を備えた釣り竿の請求項２記載の実施形態を示すものである。腕を真直ぐ伸ばした状態で手首をねじる事無く、自然に釣り竿を掴む為の手段として、保持具基部１の下面に垂直から竿尻方向７０°の範囲にグリップ２を設ける。さらにしっかりと釣り竿を固定させる為に、保持具基部１の後方に２本の連結パイプ４を介して肘当て３をビス８で固定する。
図はリールを上に取り付けるタイプを示している。
【実施例３】
【０００９】図３は、本発明グリップと肘当てが一体で構成される保持具を備えた釣り竿の請求項１記載の斜視図である。課題の保持具は保持具基部１、グリップ２、２本の連結パイプ４、そして肘当て３の部品から構成されるものである。具体的には、保持具基部１はチタン、あるいはマグネシュームの削り出し。グリップ２及び肘当て３は硬質ゴムのエラストマで成形。連結パイプ４はステンレスを使用する。
【実施例４】
【００１０】図４は、本発明グリップと肘当てが一体で構成される保持具を備えた釣り竿の請求項１記載の第一の変形例を示すものである。図３においてはリールを竿下に取り付けるタイプを示しているが、第一の変形例では、リールシート取り付け部材５を回転させ、リールを取り付ける為のリールシート７を竿上に位置した状態を示したものである。
【実施例５】
【００１１】図５は、本発明グリップと肘当てが一体で構成される保持具を備えた釣り竿の請求項３記載の第二の変形例を示すものである。釣り竿６は差し込み式として、対象魚により容易に交換出来る構造とする。図においては釣り竿６のみを示しているが、実祭には数本の竿を継ぎ足して使用される。
【実施例６】
【００１２】図６は、本発明グリップと肘当てが一体で構成される保持具を備えた釣り竿の請求項２記載の斜視図である。課題の保持具は保持具基部１、グリップ２、２本の連結パイプ４．、そして肘当て３の部品から構成されるものである。具体的には、保持具基部１はチタン、あるいはマグネシュームの削り出し。グリップ２及び肘当て３は硬質ゴムのエラストマで成形。連結パイプ４はステンレスを使用する。
【実施例７】
【００１３】図７は、本発明グリップと肘当てが一体で構成される保持具を備えた釣り竿の請求項２記載の第一の変形例を示す斜視図である。図６においてはリールを竿下に取り付けるタイプを示しているが、第一の変形例では、リール取り付け部材５を回転させ、リールを取り付ける為のリールシート７を竿上に位置した状態を示したものである。
【実施例８】
【００１４】図８は、本発明グリップと肘当てが一体で構成される保持具を備えた釣り竿の請求項３記載の第二の変形例を示す斜視図である。釣り竿６は差し込み式として、対象魚により容易に交換出来る構造とする。図においては釣り竿６のみを示しているが、実際には数本の竿を継ぎ足して使用される。
【図面の簡単な説明】
【００１５】
【図１】本発明グリップと肘当てが一体で構成される保持具を備えた釣り竿の請求項１記載の保持形態を示す側面図である。
【図２】本発明グリップと肘当てが一体で構成される保持具を備えた釣り竿の請求項２記載の保持形態を示す側面図である。
【図３】本発明グリップと肘当てが一体で構成される保持具を備えた釣り竿の請求項１記載の斜視図である。
【図４】本発明グリップと肘当てが一体で構成される保持具を備えた釣り竿の請求項１記載の第一の変形例を示す斜視図である。
【図５】本発明グリップと肘当てが一体で構成される保持具を備えた釣り竿の請求項３記載の第二の変形例を示す斜視図である。
【図６】本発明グリップと肘当てが一体で構成される保持具を備えた釣り竿の請求項２記載の斜視図である。
【図７】本発明グリップと肘当てが一体で構成される保持具を備えた釣り竿の請求項２記載の第一の変形例を示す斜視図である。
【図８】本発明グリップと肘当てが一体で構成される保持具を備えた釣り竿の請求項３記載の第二の変形例を示す斜視図である。
【符号の説明】
【００１６】１  保持具基部
２  グリップ
３  肘当て
４  連結パイプ
５  リールシート取り付け部材
６  釣り竿
７  リールシート
８  ビス
【図１】
2006158362.tif 000003
【図２】
2006158362.tif 000004
【図３】
2006158362.tif 000005
【図４】
2006158362.tif 000006
【図５】
2006158362.tif 000007
【図６】
2006158362.tif 000008
【図７】
2006158362.tif 000009
【図８】
2006158362.tif 000010